(57)【特許請求の範囲】
【請求項１】
耳に装着する人の耳輪脚から耳介側頭溝を回って耳朶に至る湾曲部と、該湾曲部の下端部に取り付けられ、前記耳朶の下端部を下方から当接するとともに、前記耳朶の表裏全面を挟む偏平な耳朶拘束部と、該耳朶拘束部の表側先端から上方に伸びて、前記装着する人の珠間切痕に嵌り込んで前記耳朶拘束部を安定させる保持体とを備え、前記耳装着具には、耳のツボを押さえる指圧器が取り付けられていることを特徴とする耳装着具。
【請求項２】
耳に装着する人の耳輪脚から耳介側頭溝を回って耳朶に至る湾曲部と、該湾曲部の下端部に取り付けられ、前記耳朶の下端部を下方から当接するとともに、前記耳朶の表裏全面を挟む偏平な耳朶拘束部と、該耳朶拘束部の表側先端から上方に伸びて、前記装着する人の珠間切痕に嵌り込んで前記耳朶拘束部を安定させる保持体とを備え、前記湾曲部には、装着したマスクの紐を保持しておく溝又は係止具が設けられていることを特徴とする耳装着具。
【請求項３】
前記保持体と前記湾曲部との先端部が連結されてリング状をなしていることを特徴とする請求項１又は２に記載の耳装着具。
【請求項４】
リング状に形成された前記耳装着具の一部が、着脱可能に構成され、該耳装着具を耳に装着した後、前記一部を連結することにより、前記耳装着具がリング状に形成されることを特徴とする請求項３に記載の耳装着具。
【請求項５】
前記湾曲部の下端部は、湾曲部に対して前記耳朶拘束部が着脱可能に取り付けられていることを特徴とする請求項１から４の何れかに記載の耳装着具。
【請求項６】
前記耳朶拘束部は、様々なデザインとサイズのものが用意され、それを装着する人の好みと耳のサイズに応じて付け替え可能であることを特徴とする請求項１から５の何れかに記載の耳装着具。
【請求項７】
前記湾曲部には、前記装着する人の耳殻の裏側及び／又は側頭部及び／又は後頭部に沿って広がって、該湾曲部を安定させる固定部が設けられていることを特徴とする請求項１から６の何れかに記載の耳装着具、
【請求項８】
前記耳輪脚と接する前記湾曲部の先端部には、前記耳朶拘束部と協働して前記湾曲部が後方へ脱落するのを防止する保持具が設けられていることを特徴とする請求項１から７の何れかに記載の耳装着具。
【発明の詳細な説明】
【技術分野】
【０００１】
本発明は、人の顔面や側頭部に装着して使用する製品を、耳で支持するための耳装着具に関する。
【背景技術】
【０００２】
従来、耳つぼを押さえる指圧器は耳つぼには使用されず、直接肌に貼って使用している。マスクは紐を耳介側頭溝２全体に亘して掛けている。人の耳の形状は様々であり、製品を保持する装着部を耳の耳介側頭溝２に沿わせることはできるが、強く紐を引っ張った場合は、痛みを感じ耳に安定して固定させることは難しい。
【０００３】
この問題に対しては、例えば、下記特許文献１に記載されたものが知られている。これは耳を一周する楕円部の前端にＵ字部を設け、楕円部を耳輪にかけた後、回してＵ字部に耳たぶを導入し、耳の付け根を取り囲んで嵌め込んでいる。耳朶は柔らかいので、Ｕ字部に耳朶を挿入しただけでは、前後に移動して固定されない。特許文献２に記載された眼鏡の左右それぞれのつるの当たる部分など、適宜場所の上部に凹状のガイド部を設け、そのガイド部にマスクの紐を挿入しているが、マスクの紐は耳の後方の耳介側頭溝２及び下方の耳朶の付け根に当接しているので、マスクを顔面に密着させる場合は、紐が耳朶に食い込んで痛さは残る。特許文献３はマスクの一対の紐を太いチューブで覆って使用するが、紐は固定されていないので、不安定であり外れ易い問題がある。
【先行技術文献】
【特許文献】
【０００４】
【特許文献１】特開２０１０−２０６７６５
【特許文献２】特開２０１４−１９７１７８
【特許文献３】特開２００６−２２３７９２
【発明の概要】
【発明が解決しようとする課題】
【０００５】
人の顔面や側頭部に装着して使用する製品は、耳で支えるため、耳への負荷が増大しており、そうした製品を長時間耳に装着することは苦痛を伴う問題である。本発明は、こうした問題を解決しようとするもので、顔面や側頭部に装着して使用する製品が重たい場合や製品を固定するために紐を耳に掛けて引っ張る場合であっても、耳の負担を軽減させ、頭部を激しく振っても簡単には、脱落しない新たな耳装着具を提供することを課題とする。
【課題を解決するための手段】
【０００６】
第１発明の耳装着具は、耳に装着する人の耳輪脚から耳介側頭溝を回って耳朶１に至る湾曲部と、該湾曲部の下端部に取り付けられ、前記耳朶の下端部を下方から当接するとともに、前記耳朶の表裏全面を挟む偏平な耳朶拘束部と、該耳朶拘束部の表側先端から上方に伸びて、前記装着する人の珠間切痕に嵌り込んで前記耳朶拘束部を安定させる保持体とを備え、前記耳装着具には、耳のツボを押さえる指圧器が取り付けられていることを特徴とする。
【０００７】
第２発明の耳装着具は、耳に装着する人の耳輪脚から耳介側頭溝を回って耳朶に至る湾曲部と、該湾曲部の下端部に取り付けられ、前記耳朶の下端部を下方から当接するとともに、前記耳朶の表裏全面を挟む偏平な耳朶拘束部と、該耳朶拘束部の表側先端から上方に伸びて、前記装着する人の珠間切痕に嵌り込んで前記耳朶拘束部を安定させる保持体とを備え、前記湾曲部には、装着したマスクの紐を保持しておく溝又は係止具が設けられていることを特徴とする
【０００８】
第３発明の耳装着具は、第１又は２発明の前記保持体と前記湾曲部との先端部が連結されてリング状をなしていることを特徴とする。
【０００９】
第４発明の耳装着具は、第３発明のリング状に形成された前記耳装着具の一部が、着脱可能に構成され、該耳装着具を耳に装着した後、前記一部を連結することにより、前記耳装着具がリング状に形成されることを特徴とする。
【００１０】
第５発明の耳装着具は、第１発明から第４発明において、前記湾曲部の下端部には、前記耳朶拘束部が着脱可能に取り付けられていることを特徴とする。
【００１１】
第６発明の耳装着具は、第１発明から第５発明において、前記耳朶拘束部は、様々なデザインとサイズのものが用意され、それを装着する人の好みと耳のサイズに応じて付け替え可能であることを特徴とする。
【００１２】
第７発明は、第１発明から第６発明において、前記湾曲部には、前記装着する人の耳殻の裏側及び／又は側頭部及び／又は後頭部に沿って広がって、該湾曲部を安定させる固定部７が設けられていることを特徴とする。
【００１３】
第８発明は、第１発明から第７発明において、前記耳輪脚と接する前記湾曲部の先端部には、前記耳朶拘束部と協働して前記湾曲部が後方へ脱落するのを防止する保持具が設けられていることを特徴とする。
【発明の効果】
【００１４】
第１発明の耳装着具によれば、耳の耳輪脚から耳介側頭溝を回って耳朶に至る湾曲部と、該湾曲部の下端部に取り付けられ、耳朶の下端部を下方から当接するとともに、耳朶をの表裏全面を挟む偏平な耳朶拘束部と、該耳朶拘束部の表側先端から上方に伸びて、装着する人の珠間切痕に嵌り込んで耳朶拘束部を安定させる保持体とを備えることによって、耳を三方から挟持して拘束しているので、様々の人の耳に安定して密着して固定させ、耳装着具には、耳のツボを押さえる指圧器が取り付け可能であるので、耳ツボの作用効果を利用することができる。
【００１５】
第２発明の耳装着具によれば、耳の耳輪脚から耳介側頭溝を回って耳朶に至る湾曲部と、該湾曲部の下端部に取り付けられ、耳朶の下端部を下方から当接するとともに、耳朶をの表裏全面を挟む偏平な耳朶拘束部と、該耳朶拘束部の表側先端から上方に伸びて、装着する人の珠間切痕に嵌り込んで耳朶拘束部を安定させる保持体とを備えることによって、耳を三方から挟持して拘束しているので、様々の人の耳に安定して密着して固定させ、湾曲部には、装着したマスクの紐を保持しておく溝又は係止具が設けられているので、強い伸縮性のあるマスク紐を使用すれば、マスクを顔に密着固定させることができる。したがって、マスクのフィルターとしての作用効果を向上させることができる。
【００１６】
第３発明の効果として、保持体と湾曲部との先端部が連結されてリング状を形成することにより、耳に当接する部分が耳の全周縁に分散されるから、耳と耳装着具が一体化して耳装着具を安定させることができる。
【００１７】
第４発明の効果として、リング状に形成された耳装着具の一部が、着脱可能に構成され、該耳装着具を耳に装着した後、一部を連結することにより、耳装着具がリング状に形成されるから、耳装着具を耳に掛けることが容易になる。
【００１８】
第５発明の効果として、湾曲部の下端部に取り付けた耳朶拘束部が着脱可能に取り付けられていることにより、耳朶拘束部を耳朶１の形状に合致したサイズや形状の耳朶拘束部に取り換えることができる。したがって、耳朶拘束部５を耳朶１にフィットさせることができる。
【００１９】
第６発明の効果として、耳朶拘束部は、様々なデザインとサイズのものが用意され、それを装着する人の好みと耳のサイズに応じて付け替え可能である。また、ピアス、イヤリング、装飾品を取り付けてお洒落を楽しむことができるから、女性にも使用して貰えるファッション性に優れた耳装着具とすることができる。
【００２０】
第７発明の効果として、湾曲部には、装着する人の耳殻の裏側及び／又は側頭部及び／又は後頭部に沿って固定部７を設けたから、固定部が人の頭に当接して湾曲部を安定させることができる。
【００２１】
第８発明の効果として、耳輪脚と接する湾曲部の先端部に、耳朶拘束部と協働して湾曲部が後方へ脱落するのを防止する保持具が設けられるから、耳装着具をより安定的に耳に固定することができる。
【図面の簡単な説明】
【００２２】
【図１】第１発明の実施例を示す斜視図、説明図、正面図、側面図である。
【図２】第１発明の実施例を示す斜視図である。
【図３】第１発明の実施例を示す説明図、斜視図である。
【図４】第２発明の実施例を示す正面図、後面図、側面図である。
【図５】第３発明の実施例を示す斜視図、説明図である。
【図６】第４発明の実施例を示す斜視図である。
【図７】第５発明の実施例を示す斜視図である。
【図８】第６発明の実施例を示す斜視図である。
【図９】第７発明の実施例を示す斜視図、後面図である。
【図１０】第８発明の実施例を示す説明図、斜視図である。
【発明を実施するための形態】
【００２３】
以下、本発明に係る耳装着具の実施形態の例を、図面を参照しながら説明する。
【実施例１】
【００２４】
第１発明の耳装着具は、耳に装着する人の耳輪脚６から耳介側頭溝２を回って耳朶１に至る湾曲部３と、該湾曲部３の下端部に取り付けられ、前記耳朶１の下端部を下方から当接するとともに、前記耳朶１の表裏全面を挟む偏平な耳朶拘束部５と、該耳朶拘束部５の表側先端から上方に伸びて、前記装着する人の珠間切痕９に嵌り込んで前記耳朶拘束部５を安定させる保持体４とを備え、前記耳装着具には、耳のツボを押さえる指圧器２５が取り付けられていることを特徴としている。
【００２５】
実施の形態の一例として、第１（ａ）図は第１発明の耳装着具を耳にかけた斜視図であり、第１（ｂ)図は耳の各部の名称の説明図であり、第１（ｃ）図は第１発明の耳装着具の正面図であり、第１（ｄ）図は第１発明の耳装着具の側面図である。耳に装着する人の耳介側頭溝２に沿って湾曲部３を形成し、この湾曲部３から伸びて耳朶１の下端部を下方から支持するとともに、耳朶１を表裏から挟む耳朶拘束部５を備え、耳朶拘束部５の先端から上方に伸びて、装着する人の対耳珠１２を越えて珠間切痕９に嵌り込んで耳朶拘束部５を安定させる保持体４とを備えたことを示している。
【００２６】
実施の形態の一例として、材質が弾性体で作られた耳装着具は、湾曲部３の上端部が耳介側頭溝２の上部に密着して、後側から前側に被さる形状であり、耳輪脚６から耳介側頭溝２を回って、耳朶１を表裏から挟む耳朶拘束部５に連結している。そして、耳朶拘束部５の先端から上方に伸びて、装着する人の対耳珠１２を越えて珠間切痕９に嵌り込み耳朶拘束部５を安定させる保持体４によって、第１発明の耳装着具は耳殻１０全体を上下から適宜の力で挟んで拘束しているので外れ難い構成となっている。
【００２７】
湾曲部３の下端部に取り付けた耳朶拘束部５は、湾曲部３と一体形状にするか、湾曲部３と耳朶拘束部５を別の材質に形成して連結することもできる。耳朶拘束体５の材質は、シリコンゴム、ＣＰ、ポリエステル、アセテート、ＰＶＣ、ポリアミド、ニュクレル、形状記憶樹脂、スポンジ、ベータプラスチック、肌の温度で変形する樹脂などである。耳に接する部分及び耳朶拘束体５が耳朶１に接する部分は柔軟な素材が適している。
【００２８】
実施の形態の一例として、第２（ａ）図は第１発明の耳装着具の耳朶拘束部５を耳朶１に嵌め込んだ斜視図であり、第２（ｂ）図、第２（ｃ）図は耳装着具の耳朶拘束部５を耳朶１に着脱する時、保持体４を前方に大きく傾斜させた状態を示す斜視図である。耳朶拘束部５は先端から上方に伸びて、装着する人の珠間切痕９に嵌り込んで耳朶拘束部５を安定させるための保持体４も取り付けられているので、細長く保持する形状としては適しているが、柔軟な耳朶１を挟持するためには耳朶拘束部５の保持体４を矢印の方向に大きく開く必要がある。そのために耳朶拘束部５の材質は強度を備えた柔軟性と有するシリコンが適している。                                                                                                                              
【００２９】
かかる構成により、第１発明の耳装着具は耳に装着する人が着脱し易く、耳輪脚６から耳介側頭溝２を回って耳朶１に至る湾曲部３と、耳朶１を表裏から挟む耳朶拘束部５と、装着する人の珠間切痕９に嵌り込んだ保持体４によって、耳周縁を安定して保持することができる。
【００３０】
実施の形態の一例として、第３（ａ)図は第１発明の指圧器２５を耳装着具に取り付けるための耳の各部の名称の説明図である。飢点２６は食欲を抑制する。副腎２７はアドレナリン（エピネフリン）のようなホルモンを分泌し、血圧、心拍数、発汗や、交感神経系によっても調節される他の身体活動の制御に影響を与える。耳つぼを刺激して気の流れをスムーズにすることによって、耳つぼの飢点２６、副腎２７の効果を体感することができる。
【００３１】
第３（ｂ)図は第１発明の指圧器２５を取り付けた耳の斜視図である。指圧器２５の内面は耳珠１３を包み込むような形状にして、耳つぼの飢点２６、副腎２７に指圧器２５が当接した状態を長時間維持することができる。柔軟な材質を使用し、耳つぼを刺激するためには、ツボの位置に天然鉱石、突起部、低周波治療器の小パッドを取り付けることによって、其々の特徴を生かした耳つぼ治療をすることができる。
【実施例２】
【００３２】
耳に装着する人の耳輪脚６から耳介側頭溝２を回って耳朶１に至る湾曲部３と、該湾曲部３の下端部に取り付けられ、前記耳朶１の下端部を下方から当接するとともに、前記耳朶１の表裏全面を挟む偏平な耳朶拘束部５と、該耳朶拘束部５の表側先端から上方に伸びて、前記装着する人の珠間切痕９に嵌り込んで前記耳朶拘束部５を安定させる保持体４とを備え、前記湾曲部３には、装着したマスクの紐１１を保持しておく溝１６又は係止具２８が設けられていることを特徴としている。
【００３３】
実施の形態の一例として、第４（ａ)図は第２発明の耳装着具にマスクを装着するための溝１６を設けたことを示す正面図であり、第４（ｂ)図は、第２発明の溝１６を設けた耳装着具を耳に装着した人の後面図である。耳装着具の湾曲部３に溝１６を設け、その溝１６にマスクの紐１１を掛けた場合、紐１１が湾曲部３の溝１６に当接しているので、耳への負担が軽減される。弾力性の強い紐１１をマスクに使用することができる。強い紐１１で引っ張ったマスクは、マスク周縁と肌との隙間が小さくなり、フィルターの効果が向上する。この耳装着具の材質は、肌の温度で変形して肌に密着する樹脂やシリコンゴムが良い。
【００３４】
実施の形態の一例として、第４（ｃ)図は第２発明の耳装着具にマスクを装着するための係止具２８を設けたことを示す側面図である。第３発明のリング状にした耳装着具の連結部３１に外側に突出させた係止具２８を取り付け、マスクの紐１１を引っ掛けたことを示している。マスクを引っ張る位置が低く、マスクの上部は略水平方向に引くことになり、マスクの上部と顔面との隙間を小さくして、眼鏡のレンズ部の曇りをなくすことができる。
【実施例３】
【００３５】
第３発明の耳装着具は、前記保持体４と前記湾曲部３との先端部が連結されてリング状をなしていることを特徴としている。
【００３６】
実施の形態の一例として、第５（ａ）図は第３発明の耳装着具がリング状をなしている斜視図であり、第５（ｂ）図は耳の各部の名称の説明図である。耳朶拘束部５の先端から上方に伸びて、装着する人の珠間切痕９に嵌り込んで耳朶拘束部５を安定させる保持体４の先端部を上方に延設した接続部３１は、耳珠１３を覆うようにして耳輪脚６の近傍まで伸ばして湾曲部３の下端部に接続している。
【００３７】
耳装着具をリング状にすることにより、耳装着具が耳周縁全体に均一に当接して、弾力性を有する素材は適宜の力で耳を締め付けて安定して固定することができる。
【実施例４】
【００３８】
第４発明の耳装着具は、リング状に形成された前記耳装着具の一部が、着脱可能に構成され、該耳装着具を耳に装着した後、前記一部を連結することにより、前記耳装着具がリング状に形成されることを特徴としている。
【００３９】
実施の形態の一例として、第６（ａ）図は第４発明のリング状に形成された耳装着具の一部が着脱可能であることを示す斜視図であり、第６（ｂ）図は第４発明の耳装着具の湾曲部３の上端部を回動可能にして、湾曲部３の下端部が着脱可能に成されていることを示す斜視図である。耳朶拘束部５の先端から上方に伸びて、装着する人の珠間切痕９に嵌り込んで耳朶拘束部５を安定させる保持体４の先端部を上方に延設した接続部３１は、耳珠１３を覆うようにして耳輪脚６の近傍まで伸ばし、この接続部３１が耳装着具の湾曲部３の先端部に屈曲するように取り付けられているので、耳装着具を耳に装着した後、耳朶拘束部５の下端に取り付けた軸２９を湾曲部３の下端部に設けた軸穴３０に挿入することにより、耳装着具がリング状に成る。矢印が示すように耳朶拘束部を前方に曲げることによって、耳装着具の着脱がスムーズにできる。
【００４０】
、第６（ｃ）図は第４発明の耳装着具の湾曲部３の先端部が着脱可能に成されていることを示すあ斜視図である。湾曲部３の下端部に耳朶拘束部５の下端を屈曲可能に取り付け、耳朶拘束部５の先端から上方に伸びて、装着する人の珠間切痕９に嵌り込んで耳朶拘束部５を安定させる保持体４を設け、この保持体４の先端部を上方に延設した接続部３１は、耳珠１３を覆うようにして、耳輪脚６の近傍まで伸ばし、湾曲部３の先端に着脱自在にしている。矢印が示すように耳朶拘束部を前方に曲げることによって、着脱を容易にしている。
【実施例５】
【００４１】
第５発明の耳装着具は、前記湾曲部３の下端部は、湾曲部３に対して耳朶拘束部５が着脱可能に取り付けられていることを特徴としている。
【００４２】
実施の形態の一例として、第７（ａ）図は第５発明の耳装着具の耳朶拘束部５が湾曲部３の下端に着脱可能に設けられ側面図であり、第７（ｂ）図は耳朶拘束部５を湾曲部３から抜いた状態を示す側面図である。湾曲部３の下端に軸２９を取り付け、耳朶拘束部５に設けた軸穴３０に挿入することができる。軸２９の形状は方形が良く耳朶拘束部５が回転することはない。また、耳朶１の大きさに応じて耳朶拘束部５を上下方向に移動させ、耳朶１を挟持する適宜の位置に調整することができる。
【実施例６】
【００４３】
第６発明の耳装着具は、前記耳朶拘束部５は、様々なデザインとサイズのものが用意され、それを装着する人の好みと耳のサイズに応じて付け替え可能であることを特徴とする請求項１から４の何れかに記載の耳装着具。
【００４４】
実施の形態の一例として、第８（ａ）図はリングを重ねたデザインの第６発明の耳朶拘束部５の斜視図であり、、第８（ｂ)図は花のデザインの第６発明の耳朶拘束部５の斜視図であり、第８（ｃ)図は第３発明のリング状の耳装着具の耳朶拘束部５から、先端部の保持体と湾曲部との先端部を、連結した部分まで複数の真珠を取り付けた斜視図であり、第８（ｄ)図は複数の星を取り付けた第６発明の耳朶拘束部の斜視図である。第６発明の耳装着具の耳朶拘束部５に様々なデザインをして、湾曲部３の下端に着脱可能に設けられている。耳装着具を装着する人の好みと耳朶１のサイズに応じて付け替え可能である。
【実施例７】
【００４５】
第７発明の耳装着具は、前記湾曲部３には、前記装着する人の耳殻１０の裏側及び／又は側頭部及び／又は後頭部に沿って広がって、該湾曲部３を安定させる固定部７が設けられていることを特徴としている。
【００４６】
実施の形態の一例として、第９（ａ)図は、第７発明の固定部７を装着する人の耳殻１０の裏側及び側頭部に沿って延設した耳装着具を耳に掛けた斜視図であり、第９（ｂ)図は後面図である。装着する人の耳殻１０の裏側及び側頭部上方に沿って、湾曲部３に固定部７が設けられていることを示している。耳殻１０の裏側と側頭部との間は間隔があいているので、湾曲部３が左右にずれないよう固定部７を耳殻１の裏側と側頭部に当接させている。
【実施例８】
【００４７】
第８発明の耳装着具は、前記耳輪脚６と接する前記湾曲部３の先端部には、前記耳朶拘束部５と協働して前記湾曲部３が後方へ脱落するのを防止する保持具１４が設けられていることを特徴としている。
【００４８】
実施の形態の一例として、第１０（ａ)図は耳の各部の名称を示す説明図である。第１０（ｂ)図は第８発明の保持具１４を耳輪脚６の位置に取り付けたことを示している。湾曲部３の先端部より大きい保持具１４を前方に突出させて設けることによって、後方に移動することを阻止している。第１０（ｃ)図は湾曲部３の先端を下方に延設し、耳珠１３の裏側に第８発明の保持具１４が当接していることを示している。耳珠１３は外側に突出した形状であり、耳珠１３の裏側に保持具１４を引っ掛けて固定できる。
【００４９】
第１０（ｄ)図は湾曲部３の先端を後方に延設して第８発明の保持具１４が三角窩１５に当接していることを示している。三角窩１５は耳殻１０に囲まれた耳の内側にあり、窪んだ形状をしているので、その窪みの中に保持具１４を挿入することにより固定できる。耳装着具の上部に設けた第８発明の保持具１４と、耳装着具の下部に設けた耳朶拘束部５とが協働して、安定して脱落するのを防止している。保持具１４の材質は強度を有した柔軟なシリコン樹脂が良い。
【産業上の利用可能性】
【００５０】
以上のように、本発明の耳装着具は、湾曲部３と耳朶１を表裏から挟む耳朶拘束部５と、該耳朶拘束部５の先端から上方に伸びて、装着する人の珠間切痕９に嵌り込んで耳朶拘束部５を安定させる保持体４とを備えたことによって、耳に装着して使用する耳用の指圧器、マスクを安定して耳に装着することができる。そして、様々なデザインとサイズの耳朶拘束部５が用意され、それを装着する人の好みと耳のサイズに応じて付け替え可能であり、耳用の指圧器、マスクを耳に装着するための耳装着具として適している。
【符号の説明】
【００５１】
１    耳朶
２    耳介側頭溝
３    湾曲部
４    保持体
５    耳朶拘束部
６    耳輪脚
７    固定部
８    連結具
９    珠間切痕
１０  耳殻  
１１  マスクの紐
１２  対耳珠
１３  耳珠
１４  保持具
１５  三角窩
１６  溝
２５  指圧器
２６  飢点
２７  副腎
２８  係止具
２９  軸
３０  軸穴
３１  連結部
【要約】
【課題】
顔面や側頭部で使用する製品を装着する場合、耳の負担を軽減させるために、耳周縁全体を拘束して耳朶１の形状に合わせて密着して保持する耳装着具を提供することを課題とする。
【解決手段】
耳に装着する人の耳輪脚から耳介側頭溝を回って耳朶１に至る湾曲部と、該湾曲部の下端部に取り付けられ、前記耳朶の下端部を下方から当接するとともに、前記耳朶の表裏全面を挟む偏平な耳朶拘束部と、該耳朶拘束部の表側先端から上方に伸びて、前記装着する人の珠間切痕に嵌り込んで前記耳朶拘束部を安定させる保持体とを備え、前記耳装着具には、耳のツボを押さえる指圧器、装着したマスクの紐を保持しておく溝又は係止具が設けられた構成である。
【選択図】    図４【図１】
0005856346.tif 000002
【図２】
0005856346.tif 000003
【図３】
0005856346.tif 000004
【図４】
0005856346.tif 000005
【図５】
0005856346.tif 000006
【図６】
0005856346.tif 000007
【図７】
0005856346.tif 000008
【図８】
0005856346.tif 000009
【図９】
0005856346.tif 000010
【図１０】
0005856346.tif 000011